(57)【要約】【課題】  冷却装置付きコンテナの消費電力を低減することができる遮蔽体を提供すること。【解決手段】  遮蔽体３０は、側壁および屋根を備え、これら側壁及び屋根に囲まれた空間に、コンテナヤードに載置された冷却装置付きコンテナ１が収容される。また、壁面に冷却水を流し、側壁に水車を設け、冷却水によって冷やされた空気を内部に流入させるようにしてもよい。水車の回転は冷却水を吸い上げるためのポンプの動力源として使用できる。また遮蔽体３０はコンテナクレーン２０によって移動されるようにしてもよい。【選択図】  図１
2005241129.tif 000002
【特許請求の範囲】
【請求項１】
側壁および屋根を備え、これら側壁及び屋根に囲まれた空間内に、コンテナヤードに載置された冷却装置付きコンテナが収容されることを特徴とする可搬式の遮蔽体。
【請求項２】
前記コンテナヤードに設置されたコンテナクレーンのスプレッダに係合される係合機構を備えていることを特徴とする請求項１に記載の遮蔽体。
【請求項３】
前記側壁に沿って冷却水が流されることを特徴とする請求項１または２に記載の遮蔽体。
【請求項４】
前記側壁に、遮蔽体の内外を連通する開口が設けられ、該開口に、前記冷却水の流動を動力源として回転することにより前記遮蔽体内の空気と外気とを交換する水車が設けられていることを特徴とする請求項３に記載の遮蔽体。
【請求項５】
前記冷却水を上方に吸い上げるポンプと、前記水車の回転動力を利用して発電する発電機とを備え、該発電機によって発電された電力が前記ポンプによって使用されることを特徴とする請求項４に記載の遮蔽体。
【請求項６】
前記冷却水を上方に吸い上げるポンプと、該ポンプに電力を供給する太陽電池とを備えていることを特徴とする請求項３から５のいずれかに記載の遮蔽体。
【発明の詳細な説明】
【技術分野】
【０００１】
本発明は、例えばコンテナヤードに載置された冷却装置付コンテナに用いられて好適な遮蔽体に関する。
【背景技術】
【０００２】
図４は冷却装置を備えたコンテナの概略構成図である。この冷却装置は、コンテナ１の内部温度を、積荷Ｆを保管するのに適した範囲の所定温度に維持しながら、船舶、トラック、鉄道車両等に積載されて運搬されるものである。
【０００３】
図において、２はコンテナ内を冷却および加温する冷却ユニットであり、コンプレッサ３、コンデンサ４、コンデンサファン５、エバポレータ６、エバポレータファン７、図示略の膨張弁等より構成されている。冷却器ユニット２はコンテナ１の端壁に設けられ、仕切壁８によって庫内Ｓと隔てられている。仕切壁８と端壁の間には、コンテナ１の底面の吹出室９に通じる通風路９が設けられ、その通風路９にエバポレータ６およびエバポレータファン７が配置されている。
【０００４】
この冷却装置では、図示しないコントローラにて設定温度を入力して運転スイッチをＯＮすると、コントローラが冷却ユニット２を制御して、庫内温度を設定温度に近づけるように運転する。
【０００５】
図５は、冷却装置付きコンテナ１を含むコンテナＣが段積されるコンテナヤードである。コンテナヤードには複数のレーン１８が設けられており、一つのレーン１８に複数のコンテナＣが保管されている。またレーン１８には一台以上のクレーン２０が設置されている。
【０００６】
コンテナヤードには、主として冷却装置を備えないドライコンテナが複数載置されており、冷却装置付きコンテナは、冷却装置駆動用に電源を必要とするためにコンテナヤードの特定の個所に保管される。段積方法は平積みや２段積である。
【特許文献１】特開平６−１２９７４４号公報
【特許文献２】特開平１０−１７５７０６号公報
【発明の開示】
【発明が解決しようとする課題】
【０００７】
冷却装置付きコンテナ１は、上記のように構成されていることでコンテナ１内部に侵入する外部からの熱を外に放熱することにより内部温度を所定範囲に保つ。しかしながらコンテナヤードにおいては、コンテナ１が太陽の日射やコンテナ外の空気の対流による大きな熱を受け、受けた熱を放熱するために大きな消費電力を必要とする問題があった。
【０００８】
本発明は上記事情に鑑みてなされたものであり、冷却装置付きコンテナの消費電力を低減することができる遮蔽体を提供することを目的とする。
【課題を解決するための手段】
【０００９】
上記の課題を解決するための手段として、次のような構成の遮蔽体を採用する。
請求項１に記載の可搬式の遮蔽体は、側壁および屋根を備え、これら側壁及び屋根に囲まれた空間内に、コンテナヤードに載置された冷却装置付きコンテナが収容されることを特徴とする。
【００１０】
本発明によれば、遮蔽体の側壁および屋根により、冷却装置付きコンテナへの日射と空気の対流が遮られ、冷却装置付きコンテナに対する熱の流入が防止される。
【００１１】
請求項２に記載の発明は、請求項１に記載の遮蔽体において、コンテナヤードに設置された前記コンテナクレーンのスプレッダに係合される係合機構を備えていることを特徴とする。
【００１２】
本発明の遮蔽体によれば、コンテナヤードにおいて使用されているコンテナクレーンにより容易に移動可能である。
【００１３】
請求項３に記載の発明は、請求項１または２に記載の遮蔽体において、前記側壁に沿って冷却水が流されることを特徴とする。
【００１４】
本発明によれば、冷却水が側壁の壁面を流れるため、遮蔽体自体の温度を下げ、これにより内部の冷却装置付きコンテナの温度も低く保たれる。
【００１５】
請求項４に記載の発明は、請求項３に記載の遮蔽体において、前記側壁に、遮蔽体の内外を連通する開口が設けられ、該開口に、前記冷却水の流動を動力源として回転することにより前記遮蔽体内の空気と外気とを交換する水車が設けられていることを特徴とする。
【００１６】
本発明によれば、外部の空気が冷却水によって冷却されつつ遮蔽体の内部に流入し、遮蔽体内部の空気は外部に放出される。すなわち冷却装置付きコンテナの周囲の空気は冷却水で冷却された空気に保たれる。
【００１７】
請求項５に記載の発明は、請求項４に記載の遮蔽体において、前記冷却水を上方に吸い上げるポンプと、前記水車の回転動力を利用して発電する発電機とを備え、該発電機によって発電された電力が前記ポンプによって使用されることを特徴とする。
【００１８】
本発明によれば、水車の回転動力を利用してポンプを駆動させることで、ポンプの消費電力を低減させることができる。
【００１９】
請求項６に記載の発明は、請求項３から５のいずれかに記載の遮蔽体において、前記冷却水を上方に吸い上げるポンプと、該ポンプに電力を供給する太陽電池とを備えていることを特徴とする。
【００２０】
本発明によれば、太陽エネルギーを利用してポンプを駆動させることで、ポンプの消費電力を低減させることができる。
【発明の効果】
【００２１】
本発明によれば、外部から受ける熱を低減することができるから、冷却装置付きコンテナの消費電力を低減させることができる。
【発明を実施するための最良の形態】
【００２２】
次に本発明の実施形態について図面を参照して説明する。
図１に示したものはコンテナヤードに冷却装置付きコンテナ１（以下コンテナ１と呼ぶ。）を載置した状態である。
コンテナヤードを走行するコンテナクレーン２０は、コンテナを段積みするタイヤ式橋形クレーンであり、クレーン走行機体２１の水平な上部梁２１ａには、この上部梁２１ａに沿って水平方向に移動する横行トロリ１３が設けられている。
【００２３】
横行トロリ１３には巻上装置が搭載されており、巻上装置が巻き上げ、繰り出しを行う吊ロープ１５によってコンテナ用のスプレッダ（吊具）１６が吊り下げられている。スプレッダ１６は吊荷であるコンテナ１を係脱可能に保持することができるようになっている。
【００２４】
符号３０はコンテナヤードに載置された冷却装置付きコンテナ１を覆う遮蔽体である。遮蔽体３０は可搬式であって、上部にスプレッダ１６が係脱される係合機構３１を備えている。この係合機構３１は一般的なコンテナの上部に設けられスプレッダ１６が係合される機構と同じものである。
遮蔽体３０はコンテナ１の長手方向にコンテナ１を覆うのに十分な長さを有している。コンテナ１の長手方向両端面に対向する部分（紙面奥行き方向両端部）は開口端となっており、コンテナ１の一端部側で外部の電源ユニットと接続され、冷却装置の電力供給が行われる。
【００２５】
次に遮蔽体３０の具体的構成について図２を用いて説明すると、遮蔽体３０は、設置時に冷却装置付きコンテナ１の両側にそれぞれ位置する側壁３２，３３と、これら側壁３２，３３の上部で支持された屋根３４と、屋根３４の上に設けられた、上部に係合機構３１を備えた冷却水タンク３５とを備えている。また、側壁３２，３３には複数の開口３６，３６…が設けられ、各開口３６の内側には、水車３７が設けられている。また、側壁３２，３３の下部には、冷却水が一時的に貯められる冷却水受け３８，３９を備え、さらに冷却水受け３８，３９に貯められた冷却水を、流路４０を介して吸い上げて冷却水タンク３５に戻すポンプ４１が設けられている。なお冷却水タンク３５には開口４２が設けられ、内部の冷却水Ｗが排出されるようになっている。また、クレーン２０で吊り下げて冷却装置付きコンテナ１の上から配置することができるように、遮蔽体３０は底部を備えていない。
【００２６】
次に本遮蔽体３０の使用時の動作について説明する。
まず、遮蔽体３０は、コンテナヤードに載置された冷却装置付きコンテナ１に対して使用されるべく、クレーン２０によって図１のように運ばれ、冷却装置付きコンテナ１を覆うようにコンテナヤードに載置される。即ち、側壁３２，３３及び屋根３４に囲まれた空間内にコンテナ１が収容されるように配置する。
次に冷却水タンク３５内の冷却水Ｗを開口４２より外部に流す。冷却水Ｗは側壁３２，３３の外壁面伝いに下方に流れ落ち、その過程で水車３７を回転させる。水車３７の回転に伴い、外部の空気が冷却水Ｗによって冷却されつつ開口３６より遮蔽体３０の中に流入する。一方遮蔽体３０内部の空気は開口３６より外部に放出される。（空気の流れを破線矢印で示した。）
冷却水受け３８，３９まで流れ落ちた冷却水Ｗは、ポンプ４１によって冷却水タンク３５に送られ、上記と同様の経路を再び循環する。
【００２７】
このように構成された遮蔽体３０によって、以下の効果を得ることができる。
まず冷却効果として、以下の効果を得る。遮蔽体３０の側壁３２，３３と屋根３４によって日射が遮られるため、冷却装置付きコンテナ１に対する日射と空気の対流による熱の流入を防ぐことができる。また冷却水Ｗが側壁３２，３３の壁面を流れるため、遮蔽体３０自体の温度を下げ、これにより内部の冷却装置付きコンテナ１の温度を低く保つことができる。さらに、外部の空気が冷却水Ｗによって冷却されつつ遮蔽体３０の内部に流入し、遮蔽体３０内部の空気は外部に放出される。すなわち冷却装置付きコンテナ１の周囲の空気を常に冷却水Ｗで冷却された空気に保つことができるから、これによっても冷却装置付きコンテナ１への熱の流入を防ぐことができる。
このように冷却装置付きコンテナ１に対する熱の流入を抑えることができるから、冷却装置付きコンテナ１の消費電力を低減することができる。
また、本遮蔽体３０の移動は、コンテナクレーン２０によって容易に行うことができる。
【００２８】
なお、ポンプ４１の動力源としては、遮蔽体３０の屋根３４上面または冷却水タンク３５の上面に太陽電池を設け、この太陽電池を動力源としてポンプ４１を作動させてもよい。また水車３７の回転を動力源として発電を行う発電装置（不図示）を設け、この発電装置によって発電された電力を動力源として用いてもよい。
これにより、ポンプ４１の消費電力を削減することができる。なお、太陽電池または発電装置によって発電された電力は、ポンプ４１だけではなく冷却装置付きコンテナの冷却装置に供給してもよい。
【００２９】
また、上記の例では遮蔽体３０をコンテナクレーン２０で移動させる構成としたが、車輪を設け、車輪により遮蔽体３０を走行させて移動させる構成としてもよい。
また、遮蔽体を図３（ａ）〜（ｃ）に示したように複数の冷却装置付きコンテナ１をまとめて覆う構成としてもよい。
さらにまた、遮蔽体３０の長手方向の両端部も側壁を設け、コンテナの四側面を覆うようにしてもよい。
さらにまた、遮蔽体３０の側壁３２，３３の外側面だけではなく、内側面に沿って冷却水Ｗを流すようにしてもよい。
【図面の簡単な説明】
【００３０】
【図１】本発明の実施形態として示した遮蔽体の使用状態について示した正面図である。
【図２】同遮蔽体の正面図である。
【図３】同遮蔽体の変形例について示した正面図である。
【図４】冷却装置付きコンテナの概略構成図である。
【図５】コンテナヤードの全体を示した図である。
【符号の説明】
【００３１】
１  冷却装置付きコンテナ
２０  コンテナクレーン
３０  遮蔽体
３１  係合機構
３２，３３  側壁
３４  屋根
３６  開口
３７  水車
４１  ポンプ
Ｗ  冷却水
【図１】
2005241129.tif 000003
【図２】
2005241129.tif 000004
【図３】
2005241129.tif 000005
【図４】
2005241129.tif 000006
【図５】
2005241129.tif 000007